(57)【要約】【課題】使用者が番号合わせ錠の設定暗号を一度に忘れても、設定暗号をもう一度探し戻すことができる。【解決手段】係止歯を設けたオス錠体には芯軸が設けてあり、前記芯軸には、番号リングと、歯付きリングと、定位リングと、弾性素子とから構成される番号リング組が嵌め設けてあり、且つ前記歯付きリング及び定位リングには、前記オス錠体の係止歯と対応する箇所に欠け口が別々に設けてあり、また、バネと閉鎖リングとをメス錠体に組み立てた後、それらを前記芯軸に嵌めると、前記オス錠体とメス錠体とを組み合うことができる二重用途番号合わせ錠において、前記メス錠体には予備錠体が設けてあり、なお、前記予備錠体が、前記番号合わせ錠のオス錠体に嵌め設ける芯軸の制限溝に係止しロックされることを特徴とする二重用途番号合わせ錠。【選択図】図１
0003102010.tif 000002
【実用新案登録請求の範囲】
【請求項１】
係止歯を設けたオス錠体には芯軸が設けてあり、前記芯軸には、番号リングと、歯付きリングと、定位リングと、弾性素子とから構成される番号リング組が嵌め設けてあり、且つ前記歯付きリング及び定位リングには、前記オス錠体の係止歯と対応する箇所に欠け口が別々に設けてあり、また、バネと閉鎖リングとをメス錠体に組み立てた後、それらを前記芯軸に嵌めると、前記オス錠体とメス錠体とを組み合うことができる二重用途番号合わせ錠において、
前記メス錠体には予備錠体が設けてあり、なお、前記予備錠体が、前記番号合わせ錠のオス錠体に嵌め設ける芯軸の制限溝に係止しロックされ、
これにより、前記予備錠体を旋回するときに、前記芯軸の制限溝が予備錠体で設ける溝と対応するので、前記予備錠体と芯軸に設ける制限溝は互いに係止しない状態になり、ひいては前記オス錠体及び芯軸がメス錠体から脱出できるようになるため、ロックされた対象物が番号合わせ錠と繋げるワイヤから解放するようになることを特徴とする、二重用途番号合わせ錠。
【請求項２】
プローブが設けてあり、前記オス錠体がメス錠体から脱出した後、前記プローブが、閉鎖リングに設ける欠け口に挿入して、番号リング組における歯付きリングおよび定位リングを旋回しながら、前記歯付きリングおよび定位リングに設ける欠け口の位置を探知し、複数の番号リングを通過すると、正確な設定暗号を探し戻すことができるので、当該番号合わせ錠が再び使用できるようになることを特徴とする、請求項１に記載の二重用途番号合わせ錠。
【考案の詳細な説明】
【技術分野】
【０００１】
この考案は二重用途番号合わせ錠に係り、特に使用者が設定暗号を一度に忘れても、メス錠体に設けられる予備錠体及びプローブにより、設定暗号をもう一度探し戻すことができる二重用途番号合わせ錠に関するものである。
【背景技術】
【０００２】
一般の番号合わせ錠はスーツケースなどに使用され、ワイヤと繋げる番号合わせ錠としては、その構造が数十種類あるが、一般の番号変換できる番号合わせ錠は図６に示すようなものである。前記番号変換できる番号合わせ錠は、複数の係止歯９０１を有する挿入ロッド９０２が設けてあるオス錠体９０と、貫通孔９１１が設けてあり、前記貫通孔９１１内には、複数の平面及び突歯９１２が等距離に設けてあり、前記各突歯９１２の間には係止孔が形成される複数の番号リング９１と、欠け口９２１が設けた環状体であり、その周縁には突歯９２２が設けてある複数の歯付きリング９２と、欠け口９３１が設けられ、一弾性素子９３２が取り付けられ、環状体を呈する複数の定位リング９３と、一バネ９４と、溝９５１及び突起９５２を有する芯軸９５と、を含む。
【０００３】
歯付きリング９２を番号リング９１に組立てた後、歯付きリング９２と番号リング９１とに芯軸９５を貫入して、メス錠体９７の貫通孔と芯軸９５の固定孔９７１とにピン９６を貫設すると、組立作業が完成する。
【０００４】
前記芯軸９５には収容溝９５３が設けてあり、前記収容溝９５３は、貫通孔９５４１及びピン９５４２を有するパッキン９５４と、貫通孔９５５１及び定位突起９５５２を有する押圧金９５５とを収容し、そして一閉鎖リング９５６によりそれらを閉鎖する。前記閉鎖リング９５６は、突起９５６１により収容溝９５３に設ける欠け口９５３１と係止し定位する。
【０００５】
上記のような構成により、押圧金９５５を押圧してパッキンに設けるピン９５４２を歯付きリング９２に当接させることにより、歯付きリング９２の突歯９２２が番号リング９１の係止孔から離脱し、このときに、番号リング９１が歯付きリング９２と連動しなくなるので、番号リング９１を旋回すると、暗号が変更できる。
【０００６】
上記の番号合わせ錠は設定暗号を変更できるが、使用者が設定した暗号を忘れた場合には、番号合わせ錠を破壊しないと、番号合わせ錠が開けられないが、破壊された番号合わせ錠は使用できなくなる。
【考案の開示】
【考案が解決しようとする課題】
【０００７】
この考案の目的は、使用者が設定暗号を一度に忘れても、メス錠体に設けられる予備錠体及びプローブにより、設定暗号をもう一度探し戻すことができる二重用途番号合わせ錠を提供する。
【課題を解決するための手段】
【０００８】
上記目的を達成するためになされた本願の考案は、係止歯を設けたオス錠体には芯軸が設けてあり、前記芯軸には、番号リングと、歯付きリングと、定位リングと、弾性素子とから構成される番号リング組が嵌め設けてあり、且つ前記歯付きリング及び定位リングには、前記オス錠体の係止歯と対応する箇所に欠け口が別々に設けてあり、また、バネと閉鎖リングとをメス錠体に組み立てた後、それらを前記芯軸に嵌めると、前記オス錠体とメス錠体とを組み合うことができる二重用途番号合わせ錠において、前記メス錠体には予備錠体が設けてあり、なお、前記予備錠体が、前記番号合わせ錠のオス錠体に嵌め設ける芯軸の制限溝に係止しロックされ、これにより、前記予備錠体を旋回するときに、前記芯軸の制限溝が予備錠体で設ける溝と対応するので、前記予備錠体と芯軸に設ける制限溝は互いに係止しない状態になり、ひいては前記オス錠体及び芯軸がメス錠体から脱出できるようになるため、ロックされた対象物が番号合わせ錠と繋げるワイヤから解放するようになることを特徴とする二重用途番号合わせ錠であることを要旨としている。
【０００９】
本願の考案では、プローブが設けてあり、前記オス錠体がメス錠体から脱出した後、前記プローブが、閉鎖リングに設ける欠け口に挿入して、番号リング組における歯付きリングおよび定位リングを旋回しながら、前記歯付きリングおよび定位リングに設ける欠け口の位置を探知し、複数の番号リングを通過すると、正確な設定暗号を探し戻すことができるので、当該番号合わせ錠が再び使用できるようになることを特徴とする請求項１に記載の二重用途番号合わせ錠であることを要旨としている。
【考案の効果】
【００１０】
この考案に係る二重用途番号合わせ錠によれば、使用者が設定暗号を忘れた場合には、メス錠体に設ける予備錠体を旋回すると、番号合わせ錠が解放できるので、応急処置としては、極めて便利である。
【００１１】
また、この考案に係る二重用途番号合わせ錠によれば、解放した番号合わせ錠は、プローブにより設定した暗号を探し戻すことができるので、当該二重用途番号合わせ錠が再び利用できるようになる。非常に経済的である。
【考案を実施するための最良の形態】
【００１２】
以下、添付図面を参照して本考案の好適な実施の形態を詳細に説明する。
【００１３】
まず、図１と図２を参照する。図１は本考案に係る二重用途番号合わせ錠の分解斜視図であり、図２は本考案に係る二重用途番号合わせ錠の組立てた状態の断面図である。番号合わせ錠１は、主に係止歯１０１を設けたオス錠体１０には芯軸２０が設けられ、前記芯軸２０の底端には一制限溝２０１が設けてあり、且つ番号リング２０１と、歯付きリング３０２と、定位リング３０３と、弾性素子３０４とから構成される番号リング組３０が前記芯軸２０に複数に嵌め設けられ、且つ前記歯付きリング３０２及び定位リング３０３のオス錠体１０に設ける係止歯１０１と対応する箇所には欠け口３０２１，３０３１が設けてあり、また、バネ４０と閉鎖リング５０とをメス錠体６０に組み立てた後、それらを前記芯軸２０に嵌めると、前記オス錠体１０とメス錠体６０とを組み合うことができる。
【００１４】
また、図３を参照する。図３は本考案に係る二重用途番号合わせ錠の使用状態を示す断面図である。前記メス錠体６０には予備錠体７０が設けてあり、なお、前記予備錠体７０が、前記番号合わせ錠１のオス錠体１０に嵌め設ける芯軸２０の制限溝２０１に係止しロックされ、これにより、前記オス錠体１０とメス錠体６０とをロックし合うことができる。使用者は設定した暗号を忘れた場合には、前記予備錠体７０を旋回することにより、前記芯軸２０の制限溝２０１が予備錠体７０で設ける溝７０１と対応するので、前記予備錠体７０と芯軸２０に設ける制限溝２０１は互いに係止しない状態になり、ひいては前記オス錠体１０及び芯軸２０がメス錠体６０から脱出できるようになるため、ロックされた対象物が番号合わせ錠１と繋げるワイヤから解放するようになる。
【００１５】
次に、図４と図５を参照する。図４は本考案に係る二重用途番号合わせ錠の暗号を探し戻す操作を示す断面図であり、図５は本考案に係る二重用途番号合わせ錠の断面図である。また、プローブ８０が設けてあり、前記オス錠体１０がメス錠体６０から脱出した後、前記プローブ８０が、閉鎖リング５０に設ける欠け口５０１に挿入して、番号リング組３０における歯付きリング３０２および定位リング３０３を旋回しながら、前記歯付きリング３０２および定位リング３０３に設ける欠け口３０２１，３０３１の位置を探知する。前記番号リング３０１の設定した番号は、前記歯付きリング３０２および定位リング３０３の欠け口３０２１，３０３１の位置に対応するので、前記プローブ８０を閉鎖リング５０に設ける欠け口５０１に挿入して、番号リング組３０における歯付きリング３０２および定位リング３０３を旋回しながら、前記歯付きリング３０２および定位リング３０３に設ける欠け口３０２１，３０３１の位置を探知することができ、上記のステップを重複させて前記プローブ８０を複数の番号リング組３０における歯付きリング３０２および定位リング３０３に設ける欠け口３０２１，３０３１を通過すると、正確な設定暗号を探し戻すことができるので、当該番号合わせ錠１が再び使用できるようになる。
【図面の簡単な説明】
【００１６】
【図１】この考案に係る二重用途番号合わせ錠の分解斜視図である。
【図２】この考案に係る二重用途番号合わせ錠の組立てた状態の断面図である。
【図３】この考案に係る二重用途番号合わせ錠の使用状態を示す断面図である。
【図４】この考案に係る二重用途番号合わせ錠の暗号を探し戻す操作を示す断面図である。
【図５】この考案に係る二重用途番号合わせ錠の断面図である。
【図６】従来のものの分解斜視図である。
【符号の説明】
【００１７】
（従来の部分）
９０        オス錠体                ９０１      係止歯
９０２      挿入ロッド              ９１        番号リング
９１１      貫通孔                  ９１２      突歯
９１３      係止孔                  ９２        歯付きリング
９２１      欠け口                  ９２２      突歯
９３        定位リング              ９３１      貫通孔
９３２      弾性素子                ９４        バネ
９５        芯軸                    ９５１      溝
９５２      突起                    ９６        ピン
９７        メス錠体                ９７１      固定孔
９５３      収容溝                  ９５４１    貫通孔
９５４２    ピン                    ９５４      パッキン
９５５１    貫通孔                  ９５５２    定位突起
９５５      押圧金                  ９５６      閉鎖リング
９５６１    突起                    ９５３１    欠け口
（この考案の部分）
１          番号合わせ錠                  １０        オス錠体
１０１      係止歯                  ２０        芯軸
２０１      制限溝                  ３０        番号リング組
３０１      番号リング              ３０２      歯付きリング
３０２１    欠け口                  ３０３      定位リング
３０３１    欠け口                  ３０４      弾性素子
４０        バネ                    ５０        閉鎖リング
５０１      欠け口                  ６０        メス錠体
７０        予備錠体                ７０１      溝
８０        プローブ
【図１】
0003102010.tif 000003
【図２】
0003102010.tif 000004
【図３】
0003102010.tif 000005
【図４】
0003102010.tif 000006
【図５】
0003102010.tif 000007
【図６】
0003102010.tif 000008